(57)【特許請求の範囲】
【請求項１】
建物開口部に設置するスクリーン枠の側枠に、折り畳みにより拡縮自在としたスクリーンの一端を保持させると共に、該スクリーンの他端を、上記スクリーン枠にガイドさせる開閉操作用の可動框に保持させて開閉自在とし、上記側枠及び可動框の一方における下端に一端が固定されると共に、他端が該側枠及び可動框の他方によって構成されるガイド収容枠の下端から出没する可撓なスクリーンガイドを備え、上記可動框を平行移動させるためのワイヤーを上記スクリーンに対してその拡縮方向に向けて複数段に張設し、該ワイヤー及び上記スクリーンガイドにより可動框の平行移動機構を構成させたスクリーン装置において、
上記スクリーンの拡縮方向に複数段に張設するワイヤーを１本のワイヤーによって構成し、
該ワイヤーの一部を上記ガイド収容枠にそのスクリーンガイド出没端側から挿入し、該スクリーンガイドの先端で折り返すと共に、該ワイヤーの一部を側枠又は可動框の上端からスクリーン枠の上部横枠に沿って可動框に対向する受け枠側に導いたうえで受け枠上端で折り返し、そのガイド収容枠内への挿入部分と上記受け枠上端での折り返し部分とを含むワイヤーの長さ調整手段により、上記スクリーン中に挿通したワイヤーの可動框の移動に伴う長さの変化に対応させ、それによって該長さ変化を吸収する上記平行移動機構を構成させた、
ことを特徴とするスクリーン装置。
【請求項２】
上記スクリーンの両端に固定板を取り付け、それらの固定板をスクリーン枠の側枠及び可動框に着脱自在に取り付け、
スクリーンに挿通して上記側枠側及び可動框側に延びる上記ワイヤーを、上記固定板に固定し又は該固定板において転向させ、
側枠から受け枠側に延びるワイヤー及びガイド収容枠内のスクリーンガイドの先端側に延びるワイヤーを、それらの延出端において離脱可能にし、
それによって、ワイヤーを挿通したスクリーン及び固定板を独立したスクリーンユニットとして構成した、
ことを特徴とする請求項１に記載のスクリーン装置。
【請求項３】
建物開口部に設置するスクリーン枠の側枠に、折り畳みにより拡縮自在としたスクリーンの一端を保持させると共に、該スクリーンの他端を、上記スクリーン枠にガイドさせる開閉操作用の可動框に保持させて開閉自在とし、上記側枠及び可動框の一方における上下端に一端が固定されると共に、他端が該側枠及び可動框の他方によって構成されるガイド収容枠の上下端から出没する可撓なスクリーンガイドを備え、上記可動框を平行移動させるためのワイヤーを上記スクリーンに対してその拡縮方向に向けて複数段に張設し、該ワイヤー及び上記スクリーンガイドにより可動框の平行移動機構を構成させたスクリーン装置において、
上記スクリーンの拡縮方向に複数段に張設するワイヤーを１本のワイヤーによって構成し、
該ワイヤーの一部を上記ガイド収容枠にその上下のスクリーンガイド出没端側からそれぞれ挿入し、それらのスクリーンガイドの先端で折り返し、そのガイド収容枠内への上下挿入部分を含むワイヤーの長さ調整手段により、上記スクリーン中に挿通したワイヤーの可動框の移動に伴う長さの変化に対応させ、それによって該長さ変化を吸収する上記平行移動機構を構成させた、
ことを特徴とするスクリーン装置。
【請求項４】
上記スクリーンの両端に固定板を取り付け、それらの固定板をスクリーン枠の側枠及び可動框に着脱自在に取り付け、
スクリーンに挿通して上記側枠側及び可動框側に延びる上記ワイヤーを、上記固定板に固定し又は該固定板において転向させ、
ガイド収容枠内の上下のスクリーンガイド出没端から挿入されてそれぞれスクリーンガイドの先端側に延びるワイヤーを、それらの延出端において離脱可能にし、
それによって、ワイヤーを挿通したスクリーン及び固定板を独立したスクリーンユニットとして構成した、
ことを特徴とする請求項３に記載のスクリーン装置。
【請求項５】
上記スクリーンの一端に取り付けた固定板を側枠に対して着脱自在に取り付けると共に、スクリーンに挿通して該側枠側に延びるワイヤーを、上記固定板に固定し又は該固定板において転向させ、
上記可動框、それに連結したスクリーン、及び上記可動框の上下端に一端が固定されて他端が上記側枠の上下端から出没する一対のスクリーンガイドを、それらに挿通あるいは固定した上記ワイヤーと共に、スクリーン枠から分離可能なスクリーンユニットとして構成した、
ことを特徴とする請求項３に記載のスクリーン装置。
【請求項６】
上記スクリーンの一端に取り付けた固定板を側枠に対して着脱自在に取り付けると共に、スクリーンに挿通して該側枠側に延びるワイヤーを、上記固定板に固定し又は該固定板において転向させ、且つ上記可動框の上下端部から出没する一対のスクリーンガイドを上記側枠に着脱自在に取り付け、
上記可動框、それに連結したスクリーン、及び上記可動框の上下端から出没する一対のスクリーンガイドを、それらに挿通あるいは固定した上記ワイヤーと共に、スクリーン枠から分離可能なスクリーンユニットとして構成した、
ことを特徴とする請求項３に記載のスクリーン装置。
【請求項７】
上記側枠を、建物開口部に固定する固定板と該固定板に弾性的に係脱自在の本体部材とによって構成し、上記本体部材を、上記可動框、それに連結したスクリーン、及び可動框又は上記側枠の本体部材の端部から出没する一対のスクリーンガイドと、それらに挿通あるいは固定した上記ワイヤーと共に、スクリーン枠から分離可能なスクリーンユニットとして構成した、
ことを特徴とする請求項４〜６のいずれかに記載のスクリーン装置。  
【請求項８】
上記平行移動機構を構成するワイヤーを上記スクリーンの拡縮方向に偶数段に挿通し、該ワイヤーの両端部を、側枠、可動框、若しくはそれらに取り付けた上記固定板、又はガイド収納枠の内部に出入りするスクリーンガイドの先端に連結した、
ことを特徴とする請求項１〜７のいずれかに記載のスクリーン装置。
【請求項９】
上記平行移動機構を構成するワイヤーを上記スクリーンの拡縮方向に奇数段に挿通し、該ワイヤーの一方の端部をガイド収容枠の内部に屈曲して出入りするスクリーンガイドの先端に連結し、該ワイヤーの他方の端部を側枠若しくは可動框、又はそれらに取り付けた固定板に連結した、
ことを特徴とする請求項１〜７のいずれかに記載のスクリーン装置。
【請求項１０】
上記平行移動機構を構成するワイヤーの中間部分に、上記固定板に沿って延び、且つ可動框の移動時に該固定板に対して相対的に移動しない部分を設け、該部分を固定板に固定している、
ことを特徴とする請求項１〜９のいずれかに記載のスクリーン装置。
【発明の詳細な説明】
【技術分野】
【０００１】
本発明は、建物開口部に、防虫、遮光、断熱等のために取り付けるスクリーン装置に関するものであり、更に具体的には、スクリーンに挿通したワイヤー及び該スクリーンに沿ってガイド収容枠から導出入されるスクリーンガイドを利用する平行移動機構を備えたスクリーン装置に関するものである。
【背景技術】
【０００２】
スクリーン装置として、スクリーンに複数段に挿通したワイヤー及び該スクリーンの下端に沿ってスクリーン枠の側枠又は可動框から出没するスクリーンガイドを備え、上記ワイヤー及び該スクリーンガイドを利用して可動框の平行移動機構を構成したものは、例えば、特許文献１によって知られている。
しかしながら、該特許文献１のスクリーン装置では、スクリーン枠や可動框にその平行移動のための複数のワイヤーの端部を全て固定し、或いは挿通しているため、スクリーンをスクリーン枠に取り付け、あるいはスクリーン枠から取り外して交換するのには、ある程度の手数がかかるという問題があり、一層の簡単化が望まれている。
【０００３】
その場合、スクリーンに複数段に張設するワイヤーを１本のみで構成するのが、組立作業や建て付けの調整を簡単にするために有効であり、また、スクリーン枠や可動框にワイヤーを貫通させることなく、ワイヤーを挿通したスクリーンを独立したユニットとして構成するのが、組立作業やスクリーン交換を容易にするために有効である。
【０００４】
但し、上記スクリーンに複数段のワイヤーを挿通する場合には、可動框の移動に伴って変化するスクリーンの張設幅に応じて、該スクリーン中に挿通されている部分のワイヤーの長さが変化することから、そのワイヤーの長さ変化に対応してその変化を吸収する手段を設ける必要があり、特に、上述した１本のワイヤーをスクリーンに対して複数段に挿通する場合には、そのワイヤーの長さ変化を吸収する手段も簡単に構成されていてメンテナンスも容易である必要がある。
【０００５】
【特許文献１】特開２００５−３６５１８号公報
【発明の開示】
【発明が解決しようとする課題】
【０００６】
本発明の技術的課題は、折り畳みにより拡縮自在としたスクリーンをスクリーン枠の側枠と開閉操作用の可動框の間に保持させ、上記側枠及び可動框の一方における下端又は上下端に一端が固定されると共に、他端が上記側枠及び可動框の他方により構成されるガイド収容枠の下端又は上下端から出没する可撓なスクリーンガイドを備え、上記可動框を平行移動させるためのワイヤーを上記スクリーンに対してその拡縮方向に向けて複数段に張設して該可動框の平行移動機構を構成させたスクリーン装置において、上記複数段に張設するワイヤーを１本のみで構成し、組立作業や建て付けの調整を簡単化したスクリーン装置を提供することにある。
【０００７】
本発明の他の技術的課題は、スクリーン枠や可動框にワイヤーを貫通させることなく、ワイヤーを挿通したスクリーンを独立したユニットとして、組立作業やスクリーン交換を容易にしたスクリーン装置を提供することにある。
また、本発明の他の技術的課題は、上記ワイヤー及び上記スクリーンガイドを有効に利用して平行移動機構を構成し、スクリーン及び該平行移動機構と、必要に応じて可動框をも含むスクリーンユニットを、スクリーン枠に対して取り付け、取り外しが容易にできるようにしたスクリーン装置を提供することにある。
本発明の更に他の技術的課題は、可動框の上部や下部を押圧操作してスクリーンを開閉する際に、その操作力によるワイヤーの伸縮が１本のワイヤーの全体に及ぶことにより可動框の平行移動動作が不円滑になることがないようにしたスクリーン装置を提供することにある。
【課題を解決するための手段】
【０００８】
上記課題を解決するため、本発明に係る第１のスクリーン装置は、建物開口部に設置するスクリーン枠の側枠に、折り畳みにより拡縮自在としたスクリーンの一端を保持させると共に、該スクリーンの他端を、上記スクリーン枠にガイドさせる開閉操作用の可動框に保持させて開閉自在とし、上記側枠及び可動框の一方における下端に一端が固定されると共に、他端が該側枠及び可動框の他方によって構成されるガイド収容枠の下端から出没する可撓なスクリーンガイドを備え、上記可動框を平行移動させるためのワイヤーを上記スクリーンに対してその拡縮方向に向けて複数段に張設し、該ワイヤー及び上記スクリーンガイドにより可動框の平行移動機構を構成させたスクリーン装置において、上記スクリーンの拡縮方向に複数段に張設するワイヤーを１本のワイヤーによって構成し、該ワイヤーの一部を上記ガイド収容枠にそのスクリーンガイド出没端側から挿入し、該スクリーンガイドの先端で折り返すと共に、該ワイヤーの一部を側枠又は可動框の上端からスクリーン枠の上部横枠に沿って可動框に対向する受け枠側に導いたうえで受け枠上端で折り返し、そのガイド収容枠内への挿入部分と上記受け枠上端での折り返し部分とを含むワイヤーの長さ調整手段により、上記スクリーン中に挿通したワイヤーの可動框の移動に伴う長さの変化に対応させ、それによって該長さ変化を吸収する上記平行移動機構を構成させたことを特徴とするものである。
【０００９】
本発明に係る上記第１のスクリーン装置の好ましい実施形態においては、上記スクリーンの両端に固定板を取り付け、それらの固定板をスクリーン枠の側枠及び可動框に着脱自在に取り付け、スクリーンに挿通して上記側枠側及び可動框側に延びる上記ワイヤーを、上記固定板に固定し又は該固定板において転向させ、側枠から受け枠側に延びるワイヤー及びガイド収容枠内のスクリーンガイドの先端側に延びるワイヤーを、それらの延出端において離脱可能にし、それによって、ワイヤーを挿通したスクリーン及び固定板が独立したスクリーンユニットとして構成される。
【００１０】
また、上記課題を解決するための本発明に係る第２のスクリーン装置は、建物開口部に設置するスクリーン枠の側枠に、折り畳みにより拡縮自在としたスクリーンの一端を保持させると共に、該スクリーンの他端を、上記スクリーン枠にガイドさせる開閉操作用の可動框に保持させて開閉自在とし、上記側枠及び可動框の一方における上下端に一端が固定されると共に、他端が該側枠及び可動框の他方によって構成されるガイド収容枠の上下端から出没する可撓なスクリーンガイドを備え、上記可動框を平行移動させるためのワイヤーを上記スクリーンに対してその拡縮方向に向けて複数段に張設し、該ワイヤー及び上記スクリーンガイドにより可動框の平行移動機構を構成させたスクリーン装置において、上記スクリーンの拡縮方向に複数段に張設するワイヤーを１本のワイヤーによって構成し、該ワイヤーの一部を上記ガイド収容枠にその上下のスクリーンガイド出没端側からそれぞれ挿入し、それらのスクリーンガイドの先端で折り返し、そのガイド収容枠内への上下挿入部分を含むワイヤーの長さ調整手段により、上記スクリーン中に挿通したワイヤーの可動框の移動に伴う長さの変化に対応させ、それによって該長さ変化を吸収する上記平行移動機構を構成させたことを特徴とするものである。
【００１１】
本発明に係る上記第２のスクリーン装置の好ましい実施形態においては、上記スクリーンの両端に固定板を取り付け、それらの固定板をスクリーン枠の側枠及び可動框に着脱自在に取り付け、スクリーンに挿通して上記側枠側及び可動框側に延びる上記ワイヤーを、上記固定板に固定し又は該固定板において転向させ、ガイド収容枠内の上下のスクリーンガイド出没端から挿入されてそれぞれスクリーンガイドの先端側に延びるワイヤーを、それらの延出端において離脱可能にし、それによって、ワイヤーを挿通したスクリーン及び固定板が独立したスクリーンユニットとして構成される。
【００１２】
なお、上記スクリーン装置において、スクリーンガイドをスクリーンの上下端に沿って設ける場合においても、該スクリーンガイドをスクリーンの下端のみに沿って設ける場合と同様に、上記ワイヤーを、スクリーン枠の上部横枠に沿って可動框に対向する受け枠上端で折り返すように巻き掛けることもできる。
【００１３】
本発明に係るスクリーン装置の他の好ましい実施形態においては、上記スクリーンの両端に固定板を取り付け、それらの固定板をスクリーン枠の側枠及び可動框に着脱自在に取り付け、スクリーンに挿通して上記側枠側及び可動框側に延びる上記ワイヤーを、上記固定板に固定し又は該固定板において転向させ、側枠から受け枠側に延びるワイヤー及び／又はガイド収容枠内のスクリーンガイドの先端側に延びるワイヤーを、その延出端において離脱可能に構成し、それによって、ワイヤーを挿通したスクリーン及び固定板を独立したスクリーンユニットとして構成することができ、該スクリーン１を交換やメンテナンスのために容易にスクリーン枠１０に対して着脱することが可能になる。
【００１４】
また、本発明に係るスクリーン装置の他の好ましい実施形態においては、スクリーンの上下両端にスクリーンガイドを設ける場合において、上記スクリーンの一端に取り付けた固定板を側枠に対して着脱自在に取り付けると共に、スクリーンに挿通して該側枠側に延びるワイヤーを、上記固定板に固定し又は該固定板において転向させ、上記可動框、それに連結されたスクリーン、及び上記可動框の上下端に一端が固定されて他端が上記側枠の上下端から出没する一対のスクリーンガイドを、それらに挿通あるいは固定した上記ワイヤーと共に、スクリーン枠から分離可能なスクリーンユニットとして構成される。
【００１５】
本発明に係るスクリーン装置の他の好ましい実施形態においては、スクリーンの上下両端にスクリーンガイドを設ける場合において、上記スクリーンの一端に取り付けた固定板を側枠に対して着脱自在に取り付けると共に、スクリーンに挿通して該側枠側に延びるワイヤーを、上記固定板に固定し又は該固定板において転向させ、且つ上記可動框の上下端部から出没する一対のスクリーンガイドを上記側枠に着脱自在に取り付け、上記可動框、それに連結したスクリーン、及び上記可動框の上下端から出没する一対のスクリーンガイドを、それらに挿通あるいは固定した上記ワイヤーと共に、スクリーン枠から分離可能なスクリーンユニットとして構成される。
【００１６】
本発明に係るスクリーン装置の主要部を上述したスクリーンユニットとして構成する場合に、上記側枠を、建物開口部に固定する固定板と該固定板に弾性的に係脱自在の本体部材とによって構成し、上記本体部材を、上記可動框、それに連結したスクリーン、及び可動框又は上記側枠の本体部材の端部から出没する一対のスクリーンガイドと、それらに挿通あるいは固定した上記ワイヤーと共に、スクリーン枠から分離可能なスクリーンユニットとして構成することもできる。
【００１７】
本発明に係るスクリーン装置の好ましい実施形態においては、上記平行移動機構を構成するワイヤーを上記スクリーンの拡縮方向に偶数段に挿通する場合に、該ワイヤーの両端部を、側枠、可動框、若しくはそれらに取り付けた上記固定板、又はガイド収納枠の内部に出入りするスクリーンガイドの先端に連結される。一方、上記ワイヤーを上記スクリーンの拡縮方向に奇数段に張設する場合には、該ワイヤーの一方の端部をガイド収容枠の内部に屈曲して出入りするスクリーンガイドの先端に連結し、該ワイヤーの他方の端部を側枠若しくは可動框、又はそれらに取り付けた固定板に連結される。
【００１８】
更に、本発明に係るスクリーン装置の好ましい実施形態においては、上記平行移動機構を構成するワイヤーの中間部分に、上記固定板に沿って延び、且つ可動框の移動時に該固定板に対して相対的に移動しない部分を設け、該部分が固定板に固定される。
これにより、可動框の上部や下部を押圧操作してスクリーンを開閉する際に、その操作力によるワイヤーの伸縮が１本のワイヤーの全体に及ぶことにより可動框の平行移動動作が不円滑になることがなく、上記ワイヤーの伸縮があるにしてもその伸縮量が小さく、可動框の平行移動動作を円滑にすることが可能になる。
【発明の効果】
【００１９】
以上に詳述した本発明のスクリーン装置によれば、側枠及び可動框の一方における下端又は上下端に一端が固定され、他端が上記側枠及び可動框の他方の下端又は上下端から出没するスクリーンガイドを備え、可動框を平行移動させるためのワイヤーを上記スクリーンに対して複数段に挿通したスクリーン装置において、上記ワイヤーを１本のみで構成しているので、組立作業や建て付けの調整を簡単に行うことができる。
また、スクリーン枠や可動框にワイヤーを貫通させることなく、ワイヤーを挿通したスクリーンを独立したユニットとして、組立作業やスクリーン交換を容易にすることができる。更に、上記ワイヤー及び上記スクリーンガイドを有効に利用して平行移動機構を構成し、スクリーン、平行移動機構及び可動框をも含むスクリーンユニットを、スクリーン枠に対して容易に取り付け、取り外しができるように構成することができる。
【発明を実施するための最良の形態】
【００２０】
図１ないし図４は、本発明に係るスクリーン装置の第１実施例を示している。
このスクリーン装置は、防虫、遮光、目隠し、断熱等のために、主として窓や出入り口等の建物開口部に取り付けて使用するもので、それらの目的に応じたスクリーン１を開閉自在に張設するスクリーン枠１０が、建物開口部にネジ等で固定的に取り付けられる。上記スクリーン枠１０は、スクリーン１の一端を固定する側枠１１と、可動框１５の上端をガイドする上部横枠１２と、可動框１５に対向する受け枠１３とを備えたものとして構成しているが、建物開口部の開口部枠をそのままスクリーン枠１０の一部として利用することもできる。なお、可動框１５の下端をガイドする下部の横枠は、後述する下部のスクリーンガイド１６の移動をガイドする低いレール１４とし、それによってバリヤフリー構造としている。
【００２１】
上記側枠１１は、図３に示すように、建物開口部に固定するための固定板１１ｂを、本体部材１１ａとは別部材として構成し、固定板１１ｂにおける弾性突片１１ｃに上記本体部材１１ａを弾性的に係脱自在とし、更に、該本体部材１１ａの上下端を上部横枠１２及び下部のレール１４から離脱できるようにしている。これにより、上記側枠１１の本体部材１１ａが枠１０から離脱可能になるので、後述するように、上記本体部材１１ａ、スクリーン１、可動框１５及び後述のスクリーンガイド１６等を、ユニットとして取り外すことが可能になる。
【００２２】
上記スクリーン１は、例えば、折り畳み可能な防虫ネットによって形成されたもので、多数の平行なプリーツをジグザグ状に施すことにより、アコーディオン式に折り畳んで拡縮自在に構成される。図３に示すように、このスクリーン１の両端をそれぞれスクリーン枠１０の側枠１１及び可動框１５に着脱自在に保持させるため、該スクリーン１の両端には、合成樹脂製の固定板２，３を固定している。そして、それらの固定板２，３を、スクリーン枠１０の側枠１１及び開閉操作用の可動框１５に設けた口部が狭い取付溝１１ａ，１５ａにそれぞれ嵌挿することにより、着脱自在に取り付けている。これらの固定板２，３の取り付けは、該固定板２，３に付与した若干の可撓性を利用して取付溝１１ａ，１５ａに圧入することにより着脱自在とすることができるが、ネジやバネ性を有する簡単な留め具等を用いたりすることもできる。
【００２３】
上記スクリーン装置は、スクリーン枠１０の下部において、スクリーン１の下端をガイドする上記スクリーンガイド１６を、可動框１５の移動に伴って側枠１１内から出没するように設けている。
更に具体的に説明すると、上記スクリーンガイド１６は、その一端が可動框１５の下端に固定され、可動框１５の移動に伴う上記スクリーン１の拡縮に応じて、側枠１１の下端からその内部に屈曲して出入りし、スクリーン１を張設状態にするときに、その下端に沿って導出されて該下端をガイドすることにより、スクリーン１の下端の風等の外力による揺れを抑止するものである。
【００２４】
この第１実施例では、可動框１５の下端にスクリーンガイド１６の一端を固定すると共に、その他端が側枠１１の下端から該側枠１１内に出入りするようにしているが、後述する図５〜図７に示すように、スクリーンガイド１６の一端を側枠１１の下端に固定し、他端を可動框１５の下端からその内部に出入りするように構成することもできる。この明細書では、上記スクリーンガイド１６が出入りする側枠１１又は可動框１５を、ガイド収容枠と呼んでいる。
【００２５】
上記スクリーンガイド１６は、図１、図３及び図４に示すように、合成樹脂で形成した多数のガイド駒２０を可撓性のある図示しないワイヤー部材で連結することにより構成したものであり、特許文献１記載のスクリーンガイドと同様の構成である。
上記ガイド駒２０は、図３に示すように、スクリーンガイド１６を下部横枠を形成するレール１４に沿って導出したときにスクリーン１の下端に沿う位置にある底部２０ａと、該スクリーン１の外面に沿って立ち上がる一対の立壁部２０ｂとにより、略Ｕ字状に形成し、その底部２０ａの下面両側端に、床面上に敷居の高さ程度に敷設する前記レール１４に跨乗してガイドさせるための短脚２０ｃを突設したもので、該立壁部２０ｂの先端部（開口側端部）に沿って、ワイヤー部材２１を挿通する通孔を設け、それぞれのガイド駒２０の該通孔に上記ワイヤー部材を挿通して連接している。そして、両端のガイド駒２０の外側端において、ワイヤー部材２１の端部にそれぞれ止着部材を付設することにより、各ガイド駒２０がワイヤー部材２１から抜脱しないようにされている。
【００２６】
隣接するガイド駒２０は、その立壁部２０ｂの端面を相互に当接させることにより、各ガイド駒２０は該立壁部２０ｂの端面が相互に離れる方向に回転可能であり、結果的に、スクリーンガイド１６は上に凹に可撓になるようにして連接しているが、図３に示すように、ガイド駒２０の底部２０ａ両側端の短脚２０ｃの先端に鈎部２０ｄを設けて、それを床面上の前記レール１４の側面に設けた凹溝１４ａに係合させるようにしているので、スクリーンガイド１６がレール１４に沿って直線的に移動している間はそれが屈曲することはない。
なお、上記スクリーンガイド１６をレール１４から容易に取り外せるようにしておく場合には、上記鈎部２０ｄのないガイド駒２０、あるいは側面に凹溝１４ａのないレール１４を用いればよく、この場合にはスクリーンガイド１６を可動框１５等と共に若干持ち上げることにより、スクリーンガイド１６をレール１４から取り外すことができる。
【００２７】
スクリーン１の一端に連結した可動框１５を安定的に平行移動させるため、この第１実施例では、図４に模式的に示すように、１本のワイヤー５をスクリーン１に対してその拡縮方向に向けて３段に挿通し、更に上部横枠１２に沿ってスクリーン１の拡縮方向に向けて張設し、結果的に４段に張設したワイヤー５及び上記スクリーンガイド１６等により、可動框１５の平行移動機構を構成している。
【００２８】
該平行移動機構について具体的に説明すると、まず、上記ワイヤー５の一端及び他端を、図３の固定板３の上部及び下部の固定点Ｐ１，Ｐ２において、図１に示すようにそれぞれネジ６で連結しているが、該ネジ等により可動框１５に取り外し可能に固定してもよい。そして、固定板３の上部の固定点Ｐ１に一端を固定したワイヤー５は、上段の固定板３のガイド孔、スクリーン１の挿通孔及び固定板２のガイド孔８ａ（以上の３個の孔を総称して上段挿通孔という。第２実施例以下についても同様である。）に挿通して固定板２の背面に導き、次いで下向きに転向させて側枠１１の下端部に配設された転向子２２ａに導き、この転向子２２ａで上向きに転向させ、続いてスクリーンガイド１６の先端（側枠１１内への挿入端）に設けた転向子２２ｂで折り返し、下方の上記転向子２２ａと同軸の転向子２２ｃに導いている。
【００２９】
そして、該ワイヤー５は上記転向子２２ｃにおいて上向きに転向させ、固定板２の中段のガイド孔８ｂの背面に導き、ここで水平方向に転向させて該ガイド孔８ｂ、スクリーン１の挿通孔及び図示省略の固定板３のガイド孔（以上の３個の孔を総称して中段挿通孔という。第２実施例以下についても同様である。）に挿通し、ここでワイヤー５を上向きに転向させ、固定板３に沿って延ばし、該ワイヤー５の中間部分を固定点Ｐ３で固定板３に固定している。この固定点Ｐ３での固定は、ネジ７等により可動框１５に取り外し可能にすることができる。
上記ワイヤー５の固定板３に沿って延びる中間部分は、可動框１５の移動時に該固定板３に対してワイヤー５が相対的に移動しない部分である。
【００３０】
上記ワイヤー５は、引き続いて上方に導き、可動框１５の上端に配設された転向子２２ｄでワイヤー５を受け枠１３側に水平方向に転向させ、受け枠１３の上端に配設された転向子２２ｅで折り返し、側枠１１の上端に配設された転向子２２ｆで下向きに転向させて固定板２における下段のガイド孔８ｃの背面に導かれ、該ガイド孔８ｃ、スクリーン１の挿通孔及び図示省略の固定板３のガイド孔（以上の３個の孔を総称して下段挿通孔という。第２実施例以下についても同様である。）に挿通したうえで、固定点Ｐ２において固定板３又は可動框１５に連結される。
【００３１】
上記第１実施例の平行移動機構においては、可動框１５の上端の転向子２２ｄから受け枠１３の上端の転向子２２ｅでのワイヤー５の折り返し部分と、上記ガイド収容枠を構成する側枠１１内へのワイヤー５の挿入部分とにより形成されるワイヤー５の長さ調整手段により、上記スクリーン１中に挿通した部分でのワイヤー５の可動框１５の移動に伴う長さの変化が吸収される。
【００３２】
すなわち、可動框１５をスクリーン１の張設方向に移動させると、可動框１５と受け枠１３とが接近することにより、転向子２２ｄと転向子２２ｅ間においてワイヤー５に余裕が生じるが、そのワイヤー５に繋がっている下段挿通孔への挿通部分では、側枠１１と可動框１５とが離れてワイヤー５が緊張することにより相殺される。また、上段及び中段挿通孔へのワイヤー５の挿通部分においてワイヤー５が緊張するが、この緊張分は転向子２２ａとスクリーンガイド１６の先端の転向子２２ｂとが接近することによって生じる余裕によって充足される。
【００３３】
したがって、上記ワイヤー５の長さ調整手段であるワイヤー５の折り返し部分と側枠１１内への挿入部分とにおいて長さ調整されるワイヤー５の本数及び長さが、スクリーン１に沿ってその拡縮方向に張設されるワイヤー５の段数及び可動框１５の移動長と同じになる。これは、以下に説明する各実施例においても同様である。
こうして、可動框１５はその姿勢を保ちつつスクリーン１の張設方向へ移動する。可動框１５をスクリーン１の折り畳み方向へ移動させるときも、同様に可動框の姿勢が保持される。
【００３４】
図５は本発明の第２実施例を示す。この第２実施例の説明において、第１実施例と共通の構成には第１実施例と同一の符号を付し、それらの説明は省略又は簡略にする。
この第２実施例は、スクリーンガイド１６の一端を側枠１１の下端に固定し、スクリーンガイド１６の他端を可動框１５の下端から可動框１５の内部に出入りするように構成したものである。
【００３５】
また、この第２実施例においては、１本のワイヤー５がスクリーン１に４段に挿通されている。ワイヤー５の一端は図示省略の固定板２の上方位置ににおける固定点Ｐ１に固定され、該ワイヤー５は上段挿通孔を通して水平方向に導かれ、可動框１５側の固定板３に挿通したうえで転向して下向きに導かれ、可動框１５の下端部に配設された転向子２２ａで上向きに転向され、スクリーンガイド１６の先端に連結された転向子２２ｂで折り返され、転向子２２ａと同軸の転向子２２ｃで上向きに転向され、上方に導かれる。
【００３６】
上記ワイヤー５は、下位の中段挿通孔に挿通するために可動框１５側の固定板３におけるガイド孔で水平方向に転向され、該中段挿通孔を通して側枠１１側の固定板２におけるガイド孔の外側に導かれ、そこで上方に転向されて、ワイヤー５の中間部分が固定板２に固定点Ｐ３で固定される。この固定点Ｐ３も、可動框１５の移動時に該固定板２に対してワイヤー５が相対的に移動しない部分である。
該ワイヤー５は、引き続き上向きに導かれ、上位の中段挿通孔に挿通するために水平方向に転向され、該中段挿通孔に挿通したうえで上向きに転向され、可動框１５の上端部に配設された転向子２２ｄで水平方向に転向されて受け枠１３側に導かれ、受け枠１３の上端に配設された転向子２２ｅで折り返され、上記転向子２２ｄと同軸の転向子２２ｆで下向きに転向される。そして、このワイヤー５は下段挿通孔の前面で水平方向に転向され、下段挿通孔を通して側枠１１の固定板の外側に導かれ、固定板２の下方部の固定点２に固定される。
【００３７】
第２実施例のその他の構成は、第１実施例と同様である。
また、上記第２実施例の平行移動機構においては、可動框１５の上端の転向子２２ｄ，２２ｆと受け枠１３の上端の転向子２２ｅとの間でのワイヤー５の折り返し部分と、ガイド収容枠を構成する可動框１５内へのワイヤー５の挿入部分とにより形成されるワイヤー５の長さ調整手段により、上記スクリーン１中に４段に挿通した部分でのワイヤー５の可動框１５の移動に伴う長さの変化が吸収される。
【００３８】
図６は本発明の第３実施例を示している。この第３実施例においては、スクリーン１に１本のワイヤー５を５段に通し、ワイヤー５の一端をスクリーンガイド１６の先端に連結する点等で実施例２と異なっている。
すなわち、可動框１５の下端から挿入したスクリーンガイド１６の先端の固定点Ｐ１に一端が連結されたワイヤー５は、可動框１５の下端部に配設された転向子２２ａにより転向されて上方に導かれ、可動框１５における固定板の上段挿通孔に対応する位置で水平方向に転向して該上段挿通孔に挿通され、側枠１１側の固定板２のガイド孔を通したうえで下向きに転向され、固定板２に点Ｐ３で固定される。
【００３９】
引き続き下方に導かれるワイヤー５は、第１（最上位）の中段挿通孔の位置で水平方向に転向され、その中段挿通孔に挿通したうえで下向きに転向され、転向子２２ａと同軸の転向子２２ｂで上向きに転向され、続いてスクリーンガイド１６の先端に連結された転向子２２ｃで折り返され、更に転向子２２ａと同軸の転向子２２ｄで転向されて上方に導かれ、第２の中段挿通孔に挿通したうえで下向きに転向され、固定板２に固定点Ｐ４で固定される。
【００４０】
更に、引き続き下方に導かれるワイヤー５は、第３の中段挿通孔の位置で水平方向に転向してその中段挿通孔に挿通したうえで上向きに転向され、可動框１５の上端に配設された転向子２２ｅで水平方向に転向され、受け枠１３の上端に配設された転向子２２ｆで折り返され、上記転向子２２ｅと同軸の転向子２２ｇで下向きに転向され、下段挿通孔の位置で水平方向に転向して該下段挿通孔に挿通したうえで、先端が固定板２に固定点Ｐ２において固定される。
【００４１】
第３実施例のその他の構成は、第２実施例と同様である。
また、上記第３実施例の平行移動機構においては、可動框１５の上端の転向子２２ｅ，２２ｇと受け枠１３の上端の転向子２２ｆとの間でのワイヤー５の折り返し部分と、ガイド収容枠を構成する可動框１５内へのワイヤー５の挿入部分とにより形成されるワイヤー５の長さ調整手段により、上記スクリーン１中に５段に挿通した部分でのワイヤー５の可動框１５の移動に伴う長さの変化が吸収される。
【００４２】
図７は本発明の第４実施例を示す。この第４実施例は、１本のワイヤー５を６段に通す点等で実施例２と異なっている。
すなわち、ワイヤー５は、その一端が図示省略の固定板２の上方部の固定点Ｐ１に固定され、上段挿通孔に挿通したうえで下方に転向され、可動框１５の下端部に配設された転向子２２ａで上向きに転向され、スクリーンガイド１６の先端に設けられた転向子２２ｂで折り返し、転向子２２ａと同軸の転向子２２ｃで転向されて上方に導かれている。そのワイヤー５は、第４（最下位）の中段挿通孔の位置で水平方向に転向され、該中段挿通孔に挿通したうえで上向きに転向させて固定板２に固定点Ｐ３で固定している。引き続き上方に導くワイヤー５は、水平方向に転向さて第３の中段挿通孔に挿通したうえで上方に転向される。
【００４３】
上方への転向により可動框１５の上端部に導かれたワイヤー５は、該上端部に配設された転向子２２ｄで水平方向に転向され、受け枠１３の上端に連結された転向子２２ｅで折り返され、上記転向子２２ｄと同軸の転向子２２ｆで下向きに転向され、第２の中段挿通孔の位置で水平方向に転向され、該中段挿通孔に挿通したうえで上向きに転向され、固定点Ｐ４において固定板２に固定され、引き続き上方に導かれたワイヤー５は、第１（最上位）の中段挿通孔の位置で水平方向に転向され、該中段挿通孔に挿通したうえで上向きに転向される。
【００４４】
更に、上記ワイヤー５は、転向子２２ｄと同軸の転向子２２ｇで水平方向に転向され、転向子２２ｅと同軸の転向子２２ｈで折り返され、転向子２２ｄと同軸の転向子２２ｉで下向きに転向され、下段挿通孔の位置で水平方向に転向され、下段挿通孔に挿通したうえで、先端が固定板２の下方位置に固定されている。
第４実施例のその他の点は、第２実施例と同様である。
【００４５】
上記第１〜第４実施例においては、平行移動機構を構成するワイヤー５を偶数段又は奇数段に挿通しているが、それが偶数段の場合には、該ワイヤー５の両端部を側枠１１、可動框１５、若しくはそれらに取り付けた上記固定板２，３、又はガイド収納枠の内部に出入りするスクリーンガイド１６の先端に連結し、奇数段の場合には、該ワイヤー５の一方の端部をガイド収容枠の内部に屈曲して出入りするスクリーンガイド１６の先端に連結し、該ワイヤー５の他方の端部を側枠１１若しくは可動框１５、又はそれらに取り付けた固定板２，３に連結している。但し、これらに限るものではない。第５実施例以下においても同様である。
【００４６】
また、上記各実施例では、スクリーン１の両端に固定板２，３を取り付け、それらの固定板２，３を側枠１１及び可動框１５に着脱自在に取り付け、スクリーン１に挿通又は該スクリーンの拡縮方向に張設して、上記側枠１１側及び可動框１５側に延びるワイヤー５を、上記固定板２，３に固定し、又は該固定板２，３において転向させ、側枠１１から受け枠１３側に延びるワイヤー５及び／又はガイド収容枠内のスクリーンガイド１６の先端側に延びるワイヤー５を、その延出端において離脱可能に構成しているが、それによって、ワイヤー５を挿通したスクリーン１及び固定板２，３を独立したユニットとして構成することができ、該スクリーン１を交換やメンテナンスのために容易にスクリーン枠１０に対して着脱することが可能になる。
【００４７】
図８ないし図１１は、本発明の第５実施例を示す。この第５実施例の説明において、第１実施例と共通の構成には第１実施例と同一の符号を付し、それらの説明は省略又は簡略にする。
第５実施例及びそれ以下の実施例のスクリーン装置は、スクリーンガイド１６に加えて該スクリーンガイド１６と同様の構成のスクリーンガイド１７によりスクリーン１の上端をガイドさせる点で、第１実施例と大きく異なっている。上記スクリーンガイド１７は、その一端が固定されている可動框１５の上端部が上部横枠１２にガイドされ、また、スクリーンガイド１７自体も上部横枠１２でガイドされることから、下部のスクリーンガイド１６のように、レール１４でガイドする必要はないが、上記レール１４に対応するものを設けても差し支えない。上記スクリーンガイド１７は、この点を除いて下部のスクリーンガイド１６と全く変わるところがないので、その具体的構成についての説明は省略する。
なお、図１２以下の実施例では、図１１の場合と同様に、受け枠１３の図示を省略しているが、それらの実施に際しては、該受け枠１３を設けることができる。
【００４８】
第５実施例における上記スクリーンガイド１７は、その一端が可動框１５の上端に固定され、可動框１５の移動に伴うスクリーン１の拡縮に応じて、側枠１１の上端からその内部に屈曲して出入りするものである。したがって、この第５実施例では、上記スクリーン１の上下端に沿って上記ガイド収容枠の上下端から出没する上下一対の対象形状をなすスクリーンガイド１６，１７を備え、これらのスクリーンガイド１６，１７を平行移動機構の一部として利用している。
【００４９】
上記第５実施例において平行移動機構を構成するワイヤー５は、その一端及び他端を、図１０に示している可動框１５側の固定板３の上方位置の固定点Ｐ１及び下方位置の固定点Ｐ２にそれぞれ固定する（図８及び図１１）が、それはネジ６により可動框１５に取り外し可能に固定してもよい。
そして、固定板３の固定点Ｐ１に一端を固定したワイヤー５は、図１１に示すように、上段挿通孔に挿通したうえで、図８のガイド孔８ａから下向きに転向させて、側枠１１の下端部に配設された転向子２２ａに導いて、該転向子２２ａで上向きに転向させ、続いて側枠１１内に挿入されているスクリーンガイド１６の先端の転向子２２ｂで折り返して下方に導き、上記転向子２２ａと同軸の転向子２２ｃで再び上向きに転向させ、下位の中段挿通孔（図８のガイド孔８ｃ）の位置で水平方向に転向させ、該中段挿通孔に挿通させたうえで上向き転向させ、固定点Ｐ３において固定板３に固定している。この固定点Ｐ３では、図８に示すように、ネジ７等により可動框１５に取り外し可能に固定してもよい。
【００５０】
上記ワイヤー５は、引き続き上方に導き、上位の中段挿通孔の位置で水平方向に転向させて該中段挿通孔に挿通させることにより、図８のガイド孔８ｂ側に導き、ここで上向きに転向させて、側枠１１の上端部に配設された転向子２２ｄで下向きに転向させ、側枠１１の上端から挿入されたスクリーンガイド１７の先端に設けた転向子２２ｅで折り返して、上記転向子２２ｄと同軸の転向子２２ｆで下向きに転向させ、下段挿通孔（図８のガイド孔８ｄ）の位置で水平方向に転向させ、下段挿通孔に挿通して固定板３にネジ６で固定している。ワイヤー５の先端は可動框１５に着脱可能に連結してもよい。
【００５１】
この第５実施例では、上記ワイヤー５の一部を、ガイド収容枠を構成する側枠１１にその上下のスクリーンガイド出没端側からそれぞれ挿入して、それらのスクリーンガイド１６，１７の先端で折り返し、このガイド収容枠内への上下挿入部分により形成されるワイヤー５の長さ調整手段により、上記スクリーン１中に挿通したワイヤー５のスクリーンの開閉に伴う長さ変化を吸収させるものとしている。
この第５実施例のその他の構成は第１実施例と同様である。
【００５２】
図１２は、本発明の第６実施例を示している。この第６実施例は、第５実施例と同様にワイヤー５を４段に挿通しているが、ワイヤー５の張設の態様が第５実施例と異なり、図示省略の側板１１側の固定板２にワイヤー５が固定されている。すなわち、ワイヤー５の一端は固定板２の上方位置に固定され、ワイヤー５はそこから上方に導かれ、側枠１１の上端部に配設された転向子２２ａで下向きに転向され、スクリーンガイド１７の先端に設けられた転向子２２ｂで折り返され、転向子２２ａと同軸の転向子２２ｃで下向きに転向され、下段挿通孔の位置で水平方向に転向させて下段挿通孔に挿通したうえで、上向きに転向させて上方に導かれ、下位の中段挿通孔の位置で水平方向に転向され、該挿通孔に挿通して側板１１側に導かれる。
【００５３】
上記ワイヤー５は、そこで上向きに転向させ、固定点Ｐ３においてワイヤー５の中間部分を固定板２（図示省略）に固定している。この固定点Ｐ３では、ネジ等により側枠１１に取り外し可能に固定してもよい。ワイヤー５は、引き続き上方へ導かれ、上位の中段挿通孔の位置で水平方向に転向され、該中段挿通孔に挿通して、その挿通孔の前面に導かれ、そこで上向きに転向され、上段挿通孔の位置で水平方向に転向され、上段挿通孔に挿通したうえで下向きに転向され、側枠１１の下端部に配設された転向子２２ｄにより上向きに転向され、スクリーンガイド１６の先端に設けた転向子２２ｅで折り返され、上記転向子２２ｄと同軸の転向子２２ｆで上向きに転向され、ワイヤー５の先端が固定板２の下方位置に固定される。
第６実施例のその他の点は、第５実施例等と同様である。
【００５４】
図１３は、本発明の第７実施例を示している。この第７実施例は、第５実施例と同様にワイヤー５を４段に挿通しているが、ワイヤー５の張設の態様が第５実施例と異なっている。すなわち、ワイヤー５の一端は、スクリーンガイド１６の先端の固定点Ｐ１に固定され、ワイヤー５はそこから下方に導かれ、側枠１１の下端部に配設された転向子２２ａで上向きに転向され、上段挿通孔の位置で水平方向に転向され、該上段挿通孔に挿通したうえで可動框１５に沿って下向きに転向され、該ワイヤー５の第１の中間部分が固定点Ｐ３において図示省略の固定板３に着脱可能に固定される。
【００５５】
該ワイヤー５は引き続いて下方へ導かれ、上位の中段挿通孔の位置で水平方向に転向され、中段挿通孔に挿通したうえで側枠１１に沿って上向きに転向され、側枠１１の上端部に配設された転向子２２ｂで下向きに転向され、上部のスクリーンガイド出没端から側枠１１内に挿入され、スクリーンガイド１７の先端に設けた転向子２２ｃで折り返し、転向子２２ｂと同軸の転向子２２ｄで下向きに転向され、側枠１１に沿って下方に導かれる。そして、該ワイヤー５は下段挿通孔の位置で水平方向に転向し、下段挿通孔に挿通したうえで、上向きに転向され、そこで、前記固定点Ｐ３と同様に、ワイヤー５の第２の中間部分が固定点Ｐ４において固定板３に固定される。そして、該ワイヤー５は、引き続き上方に導かれ、下位の中段挿通孔の位置で水平方向に転向され、該中段挿通孔に挿通したうえで下向きに転向され、前記転向子２２ａと同軸の転向子２２ｅで上向きに転向され、ワイヤー５の先端がスクリーンガイド１６の先端に固定される。
第７実施例のその他の点は第５実施例と同様である。
【００５６】
図１４は本発明の第８実施例を示している。この第８実施例は、第５実施例と同様にスクリーン１の上下端をスクリーンガイド１６，１７でガイドするものであるが、ワイヤー５の張設の態様が第５実施例と異なっている。
すなわち、一端がスクリーンガイド１６の先端の固定点Ｐ１に連結されたワイヤー５は、側枠１１の下端部に配設された転向子２２ａに導かれ、該転向子２２ａで転向されて該側枠１１に沿って上方に導かれ、上段挿通孔の位置で水平方向に転向され、上段挿通孔に挿通したうえで下向きに転向され、該ワイヤー５の第１の中間部分が図示省略の固定板２に固定点Ｐ３において固定される。
【００５７】
該ワイヤー５は引き続き下方に導かれ、第１（最上位）の中段挿通孔の位置で水平方向に転向され、該中段挿通孔に挿通したうえで下向きに転向され、転向子２２ａと同軸の転向子２２ｂで上向きに転向され、続いてスクリーンガイド１６の先端に設けた転向子２２ｃで折り返し、上記転向子２２ａと同軸の転向子２２ｄで転向させて上方に導き、第２の中段挿通孔の位置で水平方向に転向され、該挿通孔に挿通したうえで下向きに転向され、可動框１５に沿う該ワイヤー５の第２中間部分が固定板２に固定点Ｐ４で固定される。
【００５８】
そして、該ワイヤー５は引き続き下方に導かれ、第３（最下位）の中段挿通孔の位置で水平方向に転向され、該中段挿通孔に挿通したうえで上向きに転向され、側枠１１の上端部に導いて、そこに配設された転向子２２ｅで下方に転向され、スクリーンガイド１７の先端に設けた転向子２２ｆで折り返され、転向子２２ｅと同軸の転向子２２ｇで下向きに転向され、下段挿通孔の位置で水平方向に転向され、下段挿通孔に挿通したうえで、ワイヤー５の先端は固定板３に固定点Ｐ２において固定される。
第８実施例のその他の点は、第５実施例と同様である。
【００５９】
図１５は、本発明の第９実施例を示している。この第９実施例は、第５実施例と同様にスクリーン１の上下端をスクリーンガイド１７及び１６でガイドするものであるが、ワイヤー５の張設の態様が第５実施例と異なり、スクリーン１中に６段に挿通している。
すなわち、ワイヤー５の一端が図示省略の固定板３の上部の固定点Ｐ１に固定され、上段挿通孔に挿通したうえで下方に転向され、側枠１１の下端部に配設された転向子２２ａで上向きに転向され、スクリーンガイド１６の先端に設けた転向子２２ｂで折り返され、転向子２２ａと同軸の転向子２２ｃで転向されて上方に導かれる。このワイヤー５は、最下位の中段挿通孔の位置で水平方向に転向され、該挿通孔に挿通したうえで上向きに転向され、該ワイヤー５の第１の中間部分が固定点Ｐ３において図示省略の固定板３に固定される。そこから引き続いて上方に導いたワイヤー５は、次位の中段挿通孔の位置で水平方向に転向され、該挿通孔に挿通したうえで側枠１１に沿って上方に導かれる。
【００６０】
該ワイヤー５は、側枠１１の上端部に配設された転向子２２ｄで下方に転向され、スクリーンガイド１７の先端に設けられた転向子２２ｅで折り返され、上記転向子２２ｄと同軸の転向子２２ｆで下向きに転向され、第２の中段挿通孔の位置で水平方向に転向され、該挿通孔に挿通したうえで可動框１５に沿って上向きに転向され、ワイヤー５の第２の中間部分が固定点Ｐ４で固定板３に固定され、該ワイヤー５は引き続き上方に導かれ、最上位の中段挿通孔の位置で水平方向に転向され、該中段挿通孔に挿通したうえで、上向きに転向され、転向子２２ｄと同軸の転向子２２ｇで下向きに転向され、転向子２２ｅと同軸の転向子２２ｈで折り返され、転向子２２ｄと同軸の転向子２２ｉで側枠１１に沿う下向きに転向される。そして、該ワイヤー５は、下段挿通孔の位置で水平方向に転向され、下段挿通孔に挿通したうえで、その端部が固定板３の下方位置に固定される。第９実施例のその他の点は、第５実施例と同様である。
【００６１】
上述した第５〜９実施例においては、上記スクリーン１の一端に取り付けた固定板２を側枠１１の本体部材１１ａに対して着脱自在に取り付けると共に、スクリーン１に挿通して該側枠１１側に延びるワイヤー５を、上記固定板２に固定し又は該固定板２において転向させ、上記可動框１５、それに連結したスクリーン１、及び上記可動框１５の上下端に一端が固定されて他端が上記側枠１１の本体部材１１ａの上下端から出没する一対のスクリーンガイド１６，１７を、それらに挿通あるいは固定した上記ワイヤー５と共に、スクリーン枠１０から分離可能なスクリーンユニットとして構成している。これにより、スクリーン１を交換やメンテナンスのために容易にスクリーン枠１０に対して容易に着脱することが可能になる。
【００６２】
また、図１１以下の実施例では、側枠１１と可動框１５との間にワイヤー５を張設し、該ワイヤー５を受け枠に関連させていないので、上記側枠１１と可動框１５とを逆にして構成することができ、すなわち、それらの図では可動框１５に対向する受け枠１３を省略しているが、図中の可動框１５を側枠として建物開口部に固定し、図中の側枠１１を可動框として、それに対向する位置に受け枠１３を設けることができる。
この場合、上記スクリーン１の一端に取り付けた固定板３を側枠（図中の可動框１５）に対して着脱自在に取り付けると共に、スクリーン１に挿通して該側枠（同可動框）側に延びるワイヤー５を、上記固定板３に固定し又は該固定板３において転向させ、且つ上記可動框（図中の側枠１１）の上下端部から出没する一対のスクリーンガイド１６，１７を上記側枠（図中の可動框１５）に着脱自在に取り付け、上記可動框（図中の側枠１１）、それに連結したスクリーン１、及び上記可動框の上下端から出没する一対のスクリーンガイド１６，１７を、それらに挿通あるいは固定した上記ワイヤー５と共に、スクリーン枠１０から分離可能なスクリーンユニットとして構成することができる。
【００６３】
更に、上述したように、各実施例のスクリーン装置の主要部を上述したスクリーンユニットとして構成する場合に、上記側枠１１を、建物開口部に固定する固定板１１ｂと該固定板に弾性的に係脱自在の本体部材１１ａとによって構成し、上記本体部材１１ａを、上記可動框１５、それに連結したスクリーン１、及び可動框１５又は上記側枠１１の本体部材１１ａの端部から出没する一対のスクリーンガイドと、それらに挿通あるいは固定した上記ワイヤー５と共に、スクリーン枠１０から分離可能なスクリーンユニットとして構成することもできる。
【００６４】
以上において、第１〜９実施例について説明したが、本発明はこれらの実施例に限定されるものではなく、特許請求の範囲に記載の発明の精神を逸脱しない範囲内において適宜設計を変更することができる。
例えば、上記各実施例では、ワイヤー５の中間部分を固定点Ｐ３，Ｐ４において固定板２又は３に固定するようにしているが、必ずしもその固定の必要はない。
【図面の簡単な説明】
【００６５】
【図１】本発明のスクリーン装置の第１実施例の縦断正面図である。
【図２】図１の矢印Ａ−Ａ方向から見た縦断側面図である。
【図３】第１実施例の水平断面図である。
【図４】第１実施例における平行移動機構のワイヤーの張り廻らしに関する模式的説明図である。
【図５】本発明のスクリーン装置の第２実施例における平行移動機構のワイヤーの張り廻らしに関する模式的説明図である。
【図６】本発明のスクリーン装置の第３実施例における平行移動機構のワイヤーの張り廻らしに関する模式的説明図である。
【図７】本発明のスクリーン装置の第４実施例における平行移動機構のワイヤーの張り廻らしに関する模式的説明図である。
【図８】本発明のスクリーン装置の第５実施例の縦断正面図である。
【図９】図８の矢印Ｂ−Ｂ方向から見た縦断側面図である。
【図１０】第５実施例の水平断面図である。
【図１１】第５実施例における平行移動機構のワイヤーの張り廻らしに関する模式的説明図である。
【図１２】第６実施例における平行移動機構のワイヤーの張り廻らしに関する模式的説明図である。
【図１３】第７実施例における平行移動機構のワイヤーの張り廻らしに関する模式的説明図である。
【図１４】第８実施例における平行移動機構のワイヤーの張り廻らしに関する模式的説明図である。
【図１５】第９実施例における平行移動機構のワイヤーの張り廻らしに関する模式的説明図である。
【符号の説明】
【００６６】
１    スクリーン
２，３    固定板
５    ワイヤー
１０    スクリーン枠
１１    側枠
１１ａ  本体部材
１１ｂ  固定板
１２    上部横枠
１３    受け枠
１４    レール
１５    可動框
１６，１７    スクリーンガイド
２０    ガイド駒
【図１】
0004704272.tif 000002
【図２】
0004704272.tif 000003
【図３】
0004704272.tif 000004
【図４】
0004704272.tif 000005
【図５】
0004704272.tif 000006
【図６】
0004704272.tif 000007
【図７】
0004704272.tif 000008
【図８】
0004704272.tif 000009
【図９】
0004704272.tif 000010
【図１０】
0004704272.tif 000011
【図１１】
0004704272.tif 000012
【図１２】
0004704272.tif 000013
【図１３】
0004704272.tif 000014
【図１４】
0004704272.tif 000015
【図１５】
0004704272.tif 000016